(57)【要約】【課題】線材格子フェンスパネルの提供。【解決手段】上端が湾曲して下方に２本の縦線材が伸びる複数の湾曲縦線材２が横方向に間隔をおいて配置され、各湾曲縦線材２に渡って、上下に間隔をおいた横線材部分を備えたリング状横線材３が上下方向に間隔をおいて配置されて湾曲縦線材２に接合され、湾曲縦線材２の湾曲部が最上段のリング状横線材３から上方に突出して配置され、かつ最上段には、同じ形状のリング状横線材が各湾曲縦線材２の前後両側に同じ高さ位置に配置されて湾曲縦線材２に接合され、最上段のリング状横線材３の前後両側のリング状横線材の左右方向の両端部は、左右両端部の湾曲縦線材２から左右方向の外側に突出するように配置され、前記リング状横線材３の左右方向の端部に、上下の横線材部分と各上下の横線材部分とを接続する接続部分を有する継手部４を備えている。【選択図】図１
2012202037.tif 000002
【特許請求の範囲】
【請求項１】
上端が湾曲して下方に２本の縦線材が伸びる複数の湾曲縦線材が横方向に間隔をおいて配置され、各湾曲縦線材に渡って、上下に間隔をおいた横線材部分を備えたリング状横線材が上下方向に間隔をおいて配置されて湾曲縦線材に接合され、
湾曲縦線材の湾曲部が最上段のリング状横線材から上方に突出して配置され、かつ最上段には、同じ形状のリング状横線材が各湾曲縦線材の前後両側に同じ高さ位置に配置されて前記湾曲縦線材に接合され、
前記最上段の前後両側のリング状横線材の左右方向の両端部は、左右両端部の湾曲縦線材から左右方向の外側に突出するように配置され、前記最上段の前後両側のリング状横線材の左右方向の端部に、上下の横線材部分と前記各上下の横線材部分とを接続する接続部分を有する継手部を備えていることを特徴とする線材格子フェンスパネル。
【請求項２】
上下に間隔をおいて設けられているリング状横線材間、又は、リング状横線材の内側に、リング状横線材の左右方向の長さよりも短い短尺横線材が配置されて湾曲縦線材に接合され、かつ前記短尺横線材の左右両端部は、リング状横線材の左右方向の端部より突出しないように設けられていることを特徴とする請求項１に記載の線材格子フェンスパネル。
【請求項３】
リング状横線材の左右方向の端部の継手部は、直線状の上下の横線材端部による横部分と、前記各直線状の上下の横線材端部による横部分とを接合する縦部分とを備えていることを特徴とする請求項１又は２に記載の線材格子フェンスパネル。
【請求項４】
短尺横線材が、湾曲縦線材の下部、又は下部と中間部に、接合されている線材格子フェンスパネルとされていることを特徴とする請求項１〜３のいずれか１項に記載の線材格子フェンスパネル。
【発明の詳細な説明】
【技術分野】
【０００１】
本発明は、住宅の庭や公園等に設置される線材格子フェンスに使用される線材格子フェンスパネルに関する。
【背景技術】
【０００２】
フェンスとしては、フェンスパネルと支柱とが、それぞれ別体とされて、フェンスパネルを支柱に固定する形態の支柱別体型のフェンスが知られている（例えば、特許文献１、２参照）。
また、フェンスパネルの少なくとも一端側に支柱を一体に備えた支柱一体型フェンスパネルも知られている（例えば、特許文献３〜５参照）。
本発明は、前者の支柱別体型のフェンス又はフェンスパネルに属する。
【０００３】
また、線材格子フェンスパネルの上端部を湾曲させて、線材格子フェンスパネルの上端部に、長手方向に連続した胴縁を形成するようにして線材格子フェンスパネルの剛性を高めるようにした形態のフェンス又はフェンスパネルも知られている（例えば、特許文献３〜５参照）。
また、線材格子フェンスパネルの上端部を湾曲させて胴縁を形成することなく、線材格子フェンスパネル自体の剛性を高めるために、横線材を縦線材の前後から挟みつけるようにした形態のフェンスパネルも知られている（例えば、特許文献６〜８参照）。
本発明は、後者の線材格子フェンスパネルの上端部を湾曲させて胴縁を形成しない形態の線材格子フェンスパネルに属する。
【先行技術文献】
【特許文献】
【０００４】
【特許文献１】特開昭６４−３６８７７号公報
【特許文献２】実公平６−３８８９３号公報
【特許文献３】特開平１−２２３２２７５号公報
【特許文献４】特公平５−３９３９０号公報
【特許文献５】実公昭６２−４３０９３号公報
【特許文献６】実開昭５８−１９０６２号公報
【特許文献７】特公平２−５８０１５号公報
【特許文献８】特公平１−３７５４６号公報
【発明の概要】
【発明が解決しようとする課題】
【０００５】
線材格子フェンスパネルの上端部を湾曲させて胴縁を形成する形態、或は縦線材の表裏に横線材を挟み込む形態の前記従来の線材格子フェンスパネルでは、上端部に直線状の部分が形成されるため、小動物（例えば、猫、ハクビシン等）にとって歩行又は走行しやすい通路が形成されるため、小動物にとって歩行しやすい線材格子フェンスパネルとなっている。
【０００６】
また、線材格子フェンスパネルの上端部を湾曲して形成した胴縁を備えていると、運搬時において、線材格子フェンスパネルが嵩張るため、運搬効率が低下すると共に、線材格子フェンスパネルが高価になり、経済的でなくなる。
さらに、線材格子フェンスパネルにおける縦線材の上端が突出していると、怪我をする恐れがあるから、怪我をする恐れのない、より安全な線材格子フェンスパネルが望まれる。
【０００７】
したがって、小動物にとって歩行しにくい線材格子フェンスパネルで、胴縁を必要としない形態の安価な線材格子フェンスパネルで、怪我をする恐れのない、より安全な線材格子フェンスパネルが望まれる。
【０００８】
さらに、線材格子フェンスパネルを、複数の縦線材と間隔をおいた横線材とを組み合わせた筒状支柱に、組み込む場合に、適宜継手金具を選択して用いて固定でき、筒状支柱に対し、その前面あるいは側面さらには、差し込む形態等のいずれかの取り付け形態を選択できる線材格子フェンスパネルであると、線材格子フェンスパネルの筒状支柱に対する取り付け位置の自由度が高まり、敷地内においてデッドスペースを生じることなく敷地境界に確実に線材格子フェンスパネルを配置することができるようになるため、そのような、筒状支柱と線材格子フェンスパネルとを組み合わせた線材格子フェンスが望まれる。
【０００９】
また、支柱自体も複数の縦線材と間隔をおいた横線材とを組み合わせた筒状支柱とすると、線材格子フェンスパネルと筒状支柱とが、いずれも線材により形成されていることから、フェンスを安価にでき、しかも景観もよい線材格子フェンスとなる。
【００１０】
本発明は、小動物にとって歩行しにくい線材格子フェンスパネルで、胴縁を必要としない形態の安価な線材格子フェンスパネルで、怪我をする恐れのない、より安全な線材格子フェンスパネルを提供することを目的とする。
【課題を解決するための手段】
【００１１】
前記の課題を有利に解決するために、第１発明の線材格子フェンスパネルでは、上端が湾曲して下方に２本の縦線材が伸びる複数の湾曲縦線材が横方向に間隔をおいて配置され、各湾曲縦線材に渡って、上下に間隔をおいた横線材部分を備えたリング状横線材が上下方向に間隔をおいて配置されて湾曲縦線材に接合され、湾曲縦線材の湾曲部が最上段のリング状横線材から上方に突出して配置され、かつ最上段には、同じ形状のリング状横線材が各湾曲縦線材の前後両側に同じ高さ位置に配置されて前記湾曲縦線材に接合され、前記最上段の前後両側のリング状横線材の左右方向の両端部は、左右両端部の湾曲縦線材から左右方向の外側に突出するように配置され、少なくとも最上段のリング状横線材の左右方向の端部に、上下の横線材部分と前記各上下の横線材部分とを接続する接続部分を有する継手部を備えていることを特徴とする。
【００１２】
また、第２発明では、第１発明の線材格子フェンスパネルにおいて、上下に間隔をおいて設けられているリング状横線材間、又は、リング状横線材の内側に、リング状横線材の左右方向の長さよりも短い短尺横線材が配置されて湾曲縦線材に接合され、かつ前記短尺横線材の左右両端部は、リング状横線材の左右方向の端部より突出しないように設けられていることを特徴とする。
【００１３】
第３発明では、第１発明又は第２発明のフェンスパネルにおいて、リング状横線材の左右方向の端部の継手部は、直線状の上下の横線材部分と、前記各直線状の上下の横線材部分とを接合する縦部分とを備えていることを特徴とする。
【００１４】
第４発明では、第１発明〜第３発明のいずれかに記載の線材格子フェンスにおいて、短尺横線材が、湾曲縦線材の下部、又は下部と中間部に、接合されている線材格子フェンスパネルとされていることを特徴とする。
【発明の効果】
【００１５】
第１発明によると、上端が湾曲して下方に２本の縦線材が伸びる複数の湾曲縦線材を用いているため、線材格子フェンスパネルにおける上端部は、水平な直線状の連続した部分とはならないで、不連続な部分となっていることから、小動物にとって歩行しにくい線材格子フェンスパネルとすることができる。
しかも、線材格子フェンスパネルにおける上端部には、従来のように、胴縁を必要としない形態の安価な線材格子フェンスパネルとすることができる。
また、最上段の各リング状横線材は、上端部が湾曲した各湾曲縦線材の前後の両面に同じ高さ位置で配置されて接合されていることから、最上段の各リング状横線材と湾曲縦線材における湾曲接続部により接続されている各縦線材との接合とされることから、線材格子フェンスパネル上部の剛性を効率よく高めることができる効果が得られる。
また、最上段の前後両側のリング状横線材の左右方向の両端部は、左右両端部の湾曲縦線材から左右方向の外側に突出するように配置され、前記最上段の前後両側のリング状横線材の左右方向の端部に、上下の横線材部分と前記各上下の横線材部分とを接続する接続部分を有する継手部を備えているので、リング状横線材の左右両端部の継手部を、簡単な継手金物を利用して支柱等に確実に取り付けることができる等の効果が得られる。
また、本発明の線材格子フェンスパネルは、ほぼ面状のパネルであるので、敷地境界に近接して線材格子フェンスパネルを配置した場合には、敷地内におけるデッドスペースを少なくすることができる。
【００１６】
第２発明によると、第１発明の線材格子フェンスパネルにおいて、上下に間隔をおいて設けられているリング状横線材間、又は、リング状横線材の内側に、リング状横線材の左右方向の長さよりも短い短尺横線材が配置されて湾曲縦線材に接合され、かつ前記短尺横線材の左右両端部は、リング状横線材の左右方向の端部より突出しないように設けられているので、線材格子フェンスパネルにおける網目を細かくすることができ、小動物の侵入を防止することができ、また、リング状横線材からなる枠内に配置されているため、直接、短尺横線材の端部に衝突して怪我をする恐れがない等の効果が得られる。
【００１７】
第３発明によると、第１発明又は第２発明のフェンスパネルにおいて、リング状横線材の左右方向の端部の継手部は、直線状の上下の横線材部分と、前記各直線状の上下の横線材部分とを接合する縦部分とを備えているので、継手部における横線材部分、又は縦部分、或は両方を適宜利用して、継手金物を適宜用いて、支柱側等と接合することができる等の効果が得られる。
【００１８】
第４発明によると、第１発明〜第３発明のいずれかに記載の線材格子フェンスにおいて、短尺横線材が、湾曲縦線材の下部、又は下部と中間部に、接合されている線材格子フェンスパネルとされているので、線材格子フェンスパネルの網目を小さくして、小動物の侵入を防止することができる等の効果が得られる。
【図面の簡単な説明】
【００１９】
【図１】（ａ）は本発明の線材格子フェンスを示す正面図、（ｂ）は平面図である。
【図２】（ａ）は図１に示す線材格子フェンスの側面図、（ｂ）は本発明におけるフェンスに用いられる線材からなる筒状支柱を示す正面図、（ｃ）は（ｂ）の平面図である。
【図３】（ａ）は本発明のフェンスにおける筒状支柱と線材格子フェンスとの上部の取り付け部を示す正面図で、図６のＡ部付近を拡大して示す図であり、（ｂ）は（ａ）の横断平面図である。
【図４】（ａ）は本発明のフェンスにおける筒状支柱と線材格子フェンスとの下部の取り付け部を示す正面図で、図６のＢ部付近を拡大して示す図であり、（ｂ）は（ａ）の横断平面図である。
【図５】（ａ）は本発明のフェンスにおける筒状支柱と線材格子フェンスとの取り付け部を拡大して示す正面図、（ｂ）は（ａ）のａ−ａ線断面図である。
【図６】（ａ）は本発明の一実施形態の線材格子フェンスパネルを用いたフェンスの一例を示す一部切欠き正面図、（ｂ）は平面図である。
【図７】本発明の線材格子フェンスパネルを用いた他の形態のフェンスを示す平面図である。
【図８】図６に示すフェンスにおいて用いる継手金物の一形態を示す斜視図である。
【図９】（ａ）は本発明の一実施形態の線材格子フェンスパネルを用いたフェンスの他の例を示す一部切欠き正面図、（ｂ）は平面図である。
【図１０】（ａ）は本発明の線材格子フェンスパネルを用いたフェンスにおける筒状支柱と線材格子フェンスとの上部の取り付け部を示す正面図（図９のＡ部付近を拡大して示す図）で、右側における手前側のリング状横線材の継手部を一部切り欠いて示す図であり、（ｂ）は（ａ）の一部切り欠き横断平面図、（ｃ）は（ａ）のａ−ａ線断面図である。
【図１１】（ａ）は本発明の線材格子フェンスパネルを用いたフェンスにおける筒状支柱と線材格子フェンスとの下部の取り付け部を示す正面図（図９のＢ部付近を拡大して示す図）で、右側における手前側のリング状横線材の継手部を一部切り欠いて示す図であり、（ｂ）は（ａ）の横断平面図、（ｃ）は（ａ）のｂ−ｂ線断面図である。
【図１２】（ａ）は本発明のフェンスの端部側の筒状支柱と線材格子フェンスとの上部の取り付け部を示す正面図で、図１０のＣ部付近を拡大して示す図であり、（ｂ）は（ａ）の横断平面図、（ｃ）は（ａ）のｃ−ｃ線断面図である。
【図１３】（ａ）は本発明のフェンスの端部側の筒状支柱と線材格子フェンスとの他の取り付け形態を示す正面図であり、（ｂ）は（ａ）の横断平面図、（ｃ）は（ａ）のｄ−ｄ線断面図である。
【図１４】（ａ）は本発明の線材格子フェンスの端部相互を接合した形態を示す正面図であり、（ｂ）は（ａ）の平面図、（ｃ）は（ａ）のｅ−ｅ線断面図である。
【図１５】本発明の線材格子フェンスを用いたフェンスの他の形態を示す平面図である。
【図１６】（ａ）は本発明の線材格子フェンスを用いたフェンスにおいて用いる係止片の一方を示す斜視図、（ｂ）は係止脚部を有する係止金具を示す斜視図、（ｃ）は線材格子フェンスの端部相互を接合する場合に用いる継手金物を分解して示す斜視図である。
【発明を実施するための形態】
【００２０】
次に、本発明を図示の実施形態に基づいて詳細に説明する。
【００２１】
まず、図１及び図２（ａ）を参照して、フェンスに用いる本発明の線材格子フェンスパネル１の一実施形態について説明すると、上端が半円状（図示の場合）又は弧状或はコ字状等に湾曲した湾曲接続部２ａを介して、下方に平行に２本の縦線材２ｂが伸びる複数（図示の場合は多数）の湾曲縦線材２が横方向に間隔をおいて同じ高さで配置され、前記各湾曲縦線材２の片面側（前面側）に渡って、上下に間隔をおいて並行な横線材部分４ａを備えたリング状横線材３が上下方向に間隔をおいて複数配置されて前記各湾曲縦線材２に溶接により接合されている。
【００２２】
また、少なくとも最上段の前面側のリング状横線材３の背面側には、各湾曲縦線材２を挟んで、後面側のリング状横線材３が前記各湾曲縦線材２に溶接により接合されて、剛性が高められている。
最上段の前後の前記各リング状横線材３は、湾曲縦線材２における上端から下方に離れた位置に設置されていることで、線材格子フェンスパネル１における上端が連続した水平部分を形成することなく、湾曲接続部２ａが間隔をおいて形成された不連続状態としていることから、小動物（猫等）が乗る場所をなくし、小動物の歩行及び走行を困難にしている。湾曲縦線材２の上端は、コ字状よりも弧状或は半円状、半円状よりも逆Ｖ字状とする方が、小動物（猫等）が乗る場所がなくなる分、好ましいが、図示のように半円状とする方が人にやさしい形状である。
【００２３】
図示の形態では、最下段の前面側のリング状横線材３の背面側には、各湾曲縦線材２を挟んで、後面側のリング状横線材３が前記各湾曲縦線材２に溶接により接合されて、剛性が高められ、胴縁を必要としない形態の安価な線材格子フェンスパネル１としている。
前記の各リング状横線材３は、その両側端は、端部側の湾曲縦線材２よりも、横方向に突出するように設けられて継手部４を形成している。
【００２４】
図示の実施形態では、前記の継手部４は、リング状横線材３における上下の横線材部分４ａ端部による水平な横部分４ａと、横部分４ａを接続する垂直な縦部分４ｂとを備えている。
【００２５】
突出した継手部４の形態としては、図示のように、コ字状でも、弧状又は半円状でもよいが、縦部分４ｂを備え、上下の横線材相互を接続してリング状としていればよい。前記の縦部分４ｂは垂直であるのが、隣り合う線材格子フェンスパネル１の縦部分４ｂ間の間隙が小さくなり、網目が小さくなるから望ましい。
【００２６】
各リング状横線材３内には、リング状横線材３の横長さ寸法よりも短い短尺横線材５が、両側端の湾曲縦線材２に渡って配置されて、各湾曲縦線材２に溶接により固定されて、短尺横線材５がリング状横線材３から横長さ方向に突出しないように設けられている。
【００２７】
上下に間隔をおいたリング状横線材３間には、各湾曲縦線材２の後面側において、前記短尺横線材５と同様な、短尺横線材５がリング状横線材３から横長さ方向に突出しないように設けられている。
【００２８】
前記のリング状横線材３における横線材部分と短尺横線材５とが、上下方向に等間隔をおいて密に配置されていることで、網目を小さくして、小動物の侵入を防止可能にされている。短尺横線材５は、湾曲縦線材２の下部、又は下部と中間部に、接合されている線材格子フェンスパネル１とされていると、網目を小さくして、小動物の侵入を確実に防止することができる。
【００２９】
前記各短尺横線材５がリング状横線材３から横長さ方向に突出しないように設けられていることで、短尺横線材５の端部により怪我をしないようにされている。特に、リング状横線材３に同面状に配置された短尺横線材５に接触する前に、リング状横線材３に接触するようになるため、怪我をする恐れが少なく安全性が向上している線材格子フェンスパネル１とされている。
【００３０】
また、最上段の各リング状横線材３は、上端部が湾曲した各湾曲縦線材２の前後の両面に同じ高さ位置で配置されて接合されていることから、最上段の各リング状横線材３と湾曲縦線材２における湾曲接続部２ａにより接続されている各縦線材との接合となることから、線材格子フェンスパネル上部の剛性を効率よく高めるようにしている。
【００３１】
また、最上段の前後２つ（前後１組み）のリング状横線材３、又は最上段のリング状横線材３とそれ以外の下段側の少なくとも前後一組のリング状横線材３との２組のリング状横線材の左右方向の両端部は、左右両端部の湾曲縦線材２から左右方向の外側に突出するように配置され、前記リング状横線材３の左右方向の端部に、上下の横線材部分４ａと前記各上下の横線材部分４ａとを接続する接続部分を有する継手部を備えているので、上下のリング状横線材３の左右両端部の継手部を、簡単な継手金物を利用して支柱等に確実に取り付けることができる等の効果が得られる。
【００３２】
また、本発明の線材格子フェンスパネルは、ほぼ面状のパネルであるので、敷地境界に近接して線材格子フェンスパネルを配置した場合には、敷地内におけるデッドスペースを少なくすることができる。
【００３３】
なお、前記の湾曲縦線材２又はリング状横線材３或は短尺横線材５としては、例えば、丸鋼棒が用いられる。
【００３４】
次に、図２（ｂ）（ｃ）を参照して、本発明の線材格子フェンスに用いる筒状支柱６について説明する。
【００３５】
左右方向及び前後方向に間隔をおいて同じ高さ位置に配置された３本以上（図示の場合は、４本）の柱縦線材７に対して、各柱縦線材７を囲むように、前記各柱縦線材７の上下方向に間隔をおいて、長方形又は矩形環状等の環状柱横線材８を配置し、各柱縦線材７に環状柱横線材８を接合して、筒状鉄筋籠状の筒状支柱６が形成されている。
【００３６】
下端側の一つ又は複数の環状柱横線材８及び柱縦線材７の下端部は、基礎９に埋め込み固定され、下端側の一つ又は複数の環状柱横線材８は抜け出し防止用アンカー材として機能する。前記の環状柱横線材８及び柱縦線材７としては、丸鋼棒が用いられる。
上下間の各環状柱横線材８は、線材格子フェンスパネル１側におけるリング状横線材３及び短尺横線材５と高さ位置が異なるように設けられている。
【００３７】
最上段の環状柱横線材８とこれに間隔をおいて下側で隣接する下位の環状柱横線材８間の間隔を、リング状横線材３における端部の継手部４又は中間部の上下横線材間の高さ寸法よりも若干大きい寸法とされて、筒状支柱６の各側面（３側面以上の各側面）側における上下の環状柱横線材８間にリング状横線材３の端部の継手部４を配置可能にされている。このようにすることで、筒状支柱６の一つ以上の側面側から挿入配置して、筒状支柱６に対して対称に線材格子フェンスパネル１を配置したり、隣り合う各側面に直角に挿入配置したり、隣り合う線材格子フェンスパネル１の側端の継手部４相互を接近させて配置したりできるようにされている。
【００３８】
線材格子フェンスパネル１を筒状支柱６に取り付ける場合には、例えば、線材格子フェンスパネル１の上下部又は中間部におけるリング状横線材３の継手部４の一部を筒状支柱６内に配置した状態で固定することで、確実に筒状支柱６に線材格子フェンスパネル１を固定することができる。また、平面視で、筒状支柱６の中心軸線に対して、線材格子フェンスパネル１の中心軸線を合わせるようにして、線材格子フェンスパネル１を配置することができる。
【００３９】
（線材格子フェンスの一形態について）
次に、前記の線材格子フェンスパネル１を線材筒状支柱６に継手金物を用いて取り付けて、フェンスを構築した形態について説明する。
【００４０】
図６に示すように、筒状支柱６は、横方向に間隔をおいて配置されて、各筒状支柱６の下端部が、地盤に構築されたコンクリート基礎又は中空部を有するコンクリートブロック積み基礎に充填されるモルタルにより埋め込み固定されて、基礎９に立設固定される。
【００４１】
図６における左右方向の中間で、上端部及び下端部をそれぞれ拡大して示す図３及び図４、又は一部を拡大して示す図５に示すように、線材格子フェンスパネル１は、その各リング状横線材３における継手部４が筒状支柱６内に挿入配置される。図示の実施形態では、全てのリング状横線材３における継手部４が筒状支柱６内に挿入配置されている。
【００４２】
前記のように、各リング状横線材３における左右両端の継手部４を、隣り合う筒状支柱４内にそれぞれ挿入配置するために、平面視の左右方向で、リング状横線材３における左右方向一方の継手部４の先端から左右方向他方の湾曲縦線材２の端部の縦線材２ｂ外側までの寸法Ｌ３（図１参照）が、間隔をおいて隣り合う筒状支柱６における環状柱横線材８間の距離Ｌ４（図６参照）より長くされている。
リング状横線材３における継手部４は湾曲縦線材２から側方に突出して接合されているため、線材格子フェンスパネル１における一側部の各継手部４のほぼ全体を一方の筒状支柱６内に挿入配置するように線材格子フェンスパネル１を一方にスライド移動させると、他側部の各継手部４を他方の筒状支柱６の側面に対向するように配置することができ、その状態で、他方の各継手部４を他方の筒状支柱６内に挿入するように、線材格子フェンスパネル１を他方にスライド移動させることで、線材格子フェンスパネル１を、筒状支柱６間に配置することができる。
この場合に、筒状支柱６における環状柱横線材８上に、リング状横線材３における下側の横部分４ａを載置した状態でスライド移動することができるため、線材格子フェンスパネル１を容易に筒状支柱６間に配置し、筒状支柱６における環状柱横線材８上に載置することができる。
【００４３】
上端部及び下端部又は必要に応じ、中間部に位置するリング状横線材３における継手部４が筒状支柱６に継手金物を用いて取り付けられる。
なお、格子状フェンスパネル１側の各短尺横線材５と、筒状支柱６側の各環状柱横線材８とは、異なる高さ位置となるように設けられている。
図示の形態では、線材格子フェンスパネル１は、上端部及び下端部が継手金物を用いて取り付けられている。
【００４４】
図４（ｂ）に示すように、各筒状支柱６の各側面側における縦中心軸線（又は平面視の中心軸線）に対して、湾曲縦線材２の中心軸線が一致又は近接するように、各線材格子フェンスパネル１の継手部４が配置される。
【００４５】
また、線材格子フェンスパネル１における最上段の前後（正面側及び背面側）のリング状横線材３の継手部４と、最下段の前後のリング状横線材３の継手部４とが、それぞれ、上部の間隔をおいた上下一対の環状柱横線材８間、及び下部の上下一対の環状柱横線材８間における下側の環状柱横線材８上に載置されるように配置される。
【００４６】
そして、各前後のリング状横線材３の側端の各継手部４における上部の横部分４ａと、間隔をおいた上下一対の環状柱横線材８における上部の環状柱横線材８とは、継手金物１３により接合されている。また、各継手部４における下部の横部分４ａと、間隔をおいた上下一対の環状柱横線材８における下部の環状柱横線材８とは、反転配置された継手金物１３により接合されている。
【００４７】
前記の各継手金物１３は、前後のリング状横線材３の継手部４における横部分４ａを把持固定する部分を備えている。前記の把持固定する部分は、図示の形態では、継手金物１３における溝付き金具１０と座金１２とボルト１７及びナット１８とにより形成されている。
【００４８】
図８にボルト１７・ナット１８を省略して分解して示すように、両側部に脚部１４を有する断面溝形の溝付き金具１０にボルト挿通孔１５を設け、溝付き金具１０における脚部１４とこれらの接続板部分１１とにより形成される溝１６内に挿入可能な巾寸法とされた座金１２を備え、前記接続板部分１１のボルト挿通孔１５と座金１２に挿通されるボルト１７及びこれにねじ込まれるナット１８を備えることで、前記の把持固定する部分は、形成されている。前記接続板部分１１に雌ねじ孔を設けてボルトをねじ込むようにすれば、ナットを省略する形態とすることも可能である。
【００４９】
前記の接続板部分１１に、環状柱横線材８の線材部分を嵌合係止するため溝１９を備えた係止部２０が一体に連設されている。
【００５０】
環状柱横線材８の線材部分を嵌合係止する係止部２０の溝１９は、環状柱横線材８の線材の断面半径よりも深い溝深さとするとよく、係止部２０の溝側の内側面は先端に向かって溝が浅くなるように傾斜面２１とされていることで、溝付き金具１０の環状柱横線材８に対する嵌合係止を、傾斜面２１を利用して確実にガイドして、配置可能にしている。
図示の形態では、前記の溝付き金具１０と座金１２とボルト・ナット等を備えた継手金物１３とされている。環状柱横線材８の線材部分を把持するクランプ部を備えた継手金物としてもよい。
【００５１】
図示の実施形態では、前後のリング状横線材３における上部の各横線材部分を把持固定する継手金物は、リング状横線材３の上側に配置されて、筒状支柱６側の上下一対の環状柱横線材８における上側の環状柱横線材８にその上側から嵌合係止され、また、前後のリング状横線材３における下部の各横線材４ａ部分を把持固定する継手金物１３は、リング状横線材３の下側に配置されて、前記筒状支柱６側の上下一対の環状柱横線材８における下側の環状柱横線材８にその下側から嵌合係止されているので、上下の継手金物１３により、線材格子フェンスパネル１を筒状支柱６に対して、上下方向及びフェンスパネル長手方向の横方向に拘束した状態で、筒状支柱６に取り付けることができる
【００５２】
ここで、図８を参照して、前記の継手金物１３についてさらに説明すると、継手金物１３における前記の溝付き金具１０と係止部２０とは、一枚の鋼板が折り曲げ加工されて形成されている。溝付き金具１０における脚部１４間の寸法は、前後のリング状横線材３における継手部４の外側間の寸法よりも僅かに大きくされ、前後の継手部４間にボルト１７を挿通可能にするために、溝付き金具１０のほぼ中央部にボルト挿通孔１５を備えている。
また、前記の座金１２は、矩形状鋼板にボルト挿通孔が設けられた形態とされ、溝付き金具１０の内側面に近接するように座金１２の側面が配置されることで、座金１２の回り止めを図っている。また、座金１２により各継手部４の横線材４ａによる横部分４ａの下側を溝付き金具１０に向かって押圧するようにして、横部分４ａを把持固定するようにされている。
【００５３】
前記実施形態では、筒状支柱６の側面側に、線材格子フェンスパネル１を継手金物１３により固定する形態を示したが、本発明において用いる筒状支柱６は、柱縦線材７が、前後方向及び左右方向に間隔をおいて配置されていることから、図７に示すように、筒状筒状支柱６の前面（又は背面）にも、側面側の線材格子フェンスパネル１と同じ高さ位置に、同様な前面（又は背面）の線材格子フェンスパネル１を配置して、継手金物１３により、前記と同様に筒状支柱６に取り付けることができる。
【００５４】
（線材格子フェンスの他の形態について）
次に、前記の線材格子フェンスパネル１を線材筒状支柱６に他の継手金物３３を用いて取り付けて、フェンスを構築した形態について説明する。
図９に示すように、筒状支柱６は、横方向に間隔をおいて配置されて、各筒状支柱６の下端部が、地盤に構築されたコンクリート基礎又は中空部を有するコンクリートブロック積み基礎に充填されるモルタルにより埋め込み固定されて、基礎９に立設固定される。
【００５５】
図９における左右方向の中間で、上端部及び下端部をそれぞれ拡大して示す図１０及び図１１に示すように、線材格子フェンスパネル１は、上端部及び下端部又は必要に応じ、中間部に位置するリング状横線材３における継手部４が筒状支柱６に継手金物を用いて取り付けられる。
【００５６】
図示の形態では、線材格子フェンスパネル１は、上端部及び下端部が継手金物３３を用いて取り付けられている。
【００５７】
各筒状支柱６の前面側における縦中心軸線に対して、左右対称に、各線材格子フェンスパネル１の継手部４が配置される。
かつ、線材格子フェンスパネル１における最上段の後部（背面側）のリング状横線材３の継手部４と、最下段の後部のリング状横線材３の継手部４とが、それぞれ、上部の上下一対の環状柱横線材８間、及び下部の上下一対の環状柱横線材８間における下側の環状柱横線材８上に載置されるように配置される。そして、各後部のリング状横線材３の側端の各継手部４と、上下の環状柱横線材８とを囲むように、係止溝３０を有すると共にボルト挿通孔３１を有する上下一対の係止片３２（図１６ａ参照）を備えた継手金物３３における前記係止片３２が前記環状柱横線材８及び継手部４に嵌合される。
【００５８】
線材格子フェンスパネル１における中段の後部（背面側）のリング状横線材３の継手部４は、それぞれ、中段の上下一対の環状柱横線材８間において（又は上下一対の環状柱横線材８における下側の環状柱横線材８上に載置されて）柱縦線材７に当接配置されている。
【００５９】
また、前部側のリング状横線材３の継手部４における縦部分４ｂを利用して、隣り合うリング状横線材３の縦部分４ｂ相互が離反しないように、ボルト挿通孔１４を有する断面コ字状の係止金具３５（図１６ａ参照）における各係止脚部３６間に各縦部分４ｂが位置し、各係止脚部３６が係止片３２側に向くように配置して、上下一対の係止片３２のボルト挿通孔３１と、係止金具３５のボルト挿通孔３４とに渡って、継手金物３３におけるボルト１７の軸部が挿通されると共にナット１８がねじ込まれて、左右の線材格子フェンスパネル１における継手部４は筒状支柱６に取り付けられている。また、隣り合う線材格子フェンスパネル１の継手部４を利用して、筒状支柱６の前面側においても、フェンスパネルの網目を形成するようにことができる。
【００６０】
前記の係止金具３５は、鋼板が折り曲げ形成されて、本体部の両側に各係止脚部３６が形成されると共に本体部にボルト挿通孔３４が形成されて、断面コ字状の係止金具とされ、係止脚部３６の突出長さ寸法は、リング状横線材３の線径と同じか、僅かに小さい寸法とされ、リング状横線材３を係止片３５に向かって押圧可能にされていることが望ましい。
【００６１】
リング状横線材３が上下２段の線材格子フェンスパネル１では、線材格子フェンスパネル１における最上段のリング状横線材３の継手部４を継手金物により筒支柱６に固定するようにしてもよい。
【００６２】
ここで、図１６を参照して、前記の上下一対の係止片３２についてさらに説明すると、各係止片３２は、長方形の鋼板がその中間部で円弧状に折り曲げられて、円弧状接続部３９を介して短尺脚部４０と長尺脚部４１が形成されていると共に各脚部の円弧状接続部３９に係止溝３０が形成され、また、長尺脚部４１の先端側には、ボルト挿通孔を備えている。
【００６３】
前記のような係止片３２を、図に示すように、上下点対称になるように配置し、かつ上部の係止片３２が、各後部のリング状横線材３の側端の各継手部４と、上側の環状柱横線材８とを囲むように配置される。
【００６４】
また、下部の係止片３２が、各後部のリング状横線材３の側端の各継手部４と、下側の環状柱横線材８とを囲むように配置され、各係止片３２の長尺脚部４１に渡って、継手部４間においてボルト１７を挿通して連結することで、隣り合う線材格子フェンスパネル１と筒状支柱６との前後方向の一体化を図るようにしている。
【００６５】
しかも前記実施形態では、筒状支柱６の前面側において、左右方向に隣り合う線材格子フェンスパネル１における前部のリング状横線材３の側部の継手部４の縦部分４ｂを、その前部側に配置された係止金具３５の係止脚部３６間に配置することで、さらに係止金具３５を前記のボルト１７を利用して前後一対の係止片３２に取り付けることで、左右方向に隣り合う線材格子フェンスパネル１が左右方向に離反するのを防止し、しかも筒状支柱６との左右方向の一体化を図っている。
【００６６】
前記の係止片３２の左右方向の巾寸法Ｌ１（図１０参照）が、筒状支柱６における前面側の左右方向に隣り合う柱縦線材７間の寸法Ｌ２よりも若干小さい寸法とされていることで、また、ボルトにより締め付け固定することで、左右の線材格子フェンスパネル１の左右方向のずれをなくしている。
【００６７】
前記実施形態の変形形態として、図示を省略するが、各係止片３２の前面側に左右方向に間隔をおいて前方に突出する係止脚部を一体に設け、各係止脚部を、左右の線材格子フェンスパネル１の縦部分４ｂを拘束するように係合させることで、係止金具を省略することも可能である。この場合には、係止脚部を有する各係止片３２を、前後の線材格子フェンスパネル１における継手部４間に挿入するようにすればよい。
【００６８】
図９及び図１２には、線材格子フェンスパネル１におけるリング状横線材３の側端の継手部４と、筒状支柱６との取り付け構造が示されている。ボルト挿通孔３１を有する上下一対の係止片３２及びボルト・ナットにより固定する構造とされている。
【００６９】
端部側では、線材格子フェンスパネル１の一端部の各後部のリング状横線材３の継手部４を筒状支柱６に固定すればよいことから、継手部４の縦部分をボルト１７よりも左右方向の外側に位置するように筒状支柱６の前面側に配置し、各後部のリング状横線材３の側端の各継手部４と、上下の環状柱横線材８とを囲むように、係止溝３０を有すると共にボルト挿通孔３１を有する上下一対の係止片３２が環状柱横線材８及び継手部４に嵌合され、各係止片３２をボルト１７及びこれにねじ込まれるナット１８からなる継手金物３３により連結一体化することで、線材格子フェンスパネル１を筒状支柱６の前面側に固定している。
【００７０】
図１３に示すように、線材格子フェンスパネル１におけるリング状横線材３の左右方向の他端側を筒状支柱６の前面に配置できない場合には、湾曲縦線材２における縦線材間のリング状横線材３を、上下一対の係止片３２及びボルト１７及びナット１８による継手金物３３により、筒状支柱６に取り付けるようにしてもよい。
【００７１】
前記実施形態では、筒状支柱６の前面側に、線材格子フェンスパネル１を継手金物３３により固定する形態を示したが、本発明において用いる筒状支柱６は、柱縦線材７が、前後方向及び左右方向に間隔をおいて配置されていることから、図１５に示すように、筒状筒状支柱６の側面にも、前面側の線材格子フェンスパネル１と同じ高さ位置に、同様な側面の線材格子フェンスパネル１を配置して、継手金物３３により、前記と同様に筒状支柱６に取り付けることができる。この場合、敷地境界線上又はその近傍に線材格子フェンス又は筒状支柱６を配置すると、フェンス設置により、敷地にデッドスペースが生じることはない。
【００７２】
図１３に示すように、筒状支柱６から格子状フェンスパネル１の端部が張り出す場合に、図１４に示すような継手金物５３を用いて、隣り合う格子状フェンスパネル１の継手４相互を連結するようにしてもよい。
【００７３】
前記の継手金物５３は、本体上面側に間隔をおいてボルト挿通孔５５を有すると共に幅方向の両側に側板５６を有する断面溝形の溝形金具５４と、前記側板５６間に配置される座金５７と、各ボルト挿通孔５５に挿通されると共に、前記座金５７に挿通されるボルト１７及びそのボルトにねじ込まれるナット１８を備えている。
【００７４】
前記の溝形金具５４を、隣り合う線材格子フェンスパネル１における継手部４間に渡って配置すると共に、前後の継手部４を抱き込むように配置すると共に、座金５７を側板５６間に配置して、ボルト１７及びナット１８により締め込むことで、継手金物５３により、横方向に隣り合う線材格子フェンスパネル１を連結することができる。また、前記の継手金物５３により、隣り合う線材格子フェンスパネル１が離反するような動きに対しては、座金５７が縦部分４ｂに係合することで、離反移動が防止される。
【００７５】
前記のような線材格子フェンスであると、によると、フェンスパネルが、３本以上の柱縦線材をその上下方向に間隔をおいた多数の環状柱横線材に接合してなる筒状支柱であって左右方向に間隔をおいて設置される前記筒状支柱に当接又は差し込まれるように配置されて、前記フェンスパネルにおける少なくとも最上段のリング状横線材が筒状支柱における環状柱横線材に着脱可能なボルト・ナットを備えた接合金物により取り付けられているので、線材格子フェンスパネルと前記筒状支柱とを備えた簡単な構造で安価な線材格子状のフェンスとすることができ、また、線材格子フェンスパネルを筒状支柱に取り付ける場合に形態の自由度のある線材格子フェンスとすることができる。
【００７６】
線材格子フェンスパネル１を用いたフェンスの形態としては、図示以外にも、筒状支柱６の前面又は側面に線材格子フェンスパネル１を配置する形態と、筒状支柱６に差し込むように配置する形態とを、組み合わせた形態としてもよい。
【符号の説明】
【００７７】
１  線材格子フェンスパネル
２  湾曲縦線材
２ａ  湾曲接続部
２ｂ  縦線材
３  リング状横線材
４  継手部
４ａ  横部分
４ｂ  縦部分
５  短尺横線材
６  筒状支柱
７  柱縦線材
８  環状柱横線材
９  基礎
１０  溝付き金具
１１  接続板部分
１２  座金
１３  継手金物
１４  脚部
１５  ボルト挿通孔
１６  溝
１７  ボルト
１８  ナット
１９  溝
２０  係止部
２１  傾斜面
３０  係止溝
３１  ボルト挿通孔
３２  係止片
３３  継手金物
３４  ボルト挿通孔
３５  係止金具
３６  係止脚部
３９  円弧状接続部
４０  短尺脚部
４１  長尺脚部
５３  継手金物
５４  溝形金具
５５  ボルト挿通孔
５６  側板
５７  座金 
【図１】
2012202037.tif 000003
【図２】
2012202037.tif 000004
【図３】
2012202037.tif 000005
【図４】
2012202037.tif 000006
【図５】
2012202037.tif 000007
【図６】
2012202037.tif 000008
【図７】
2012202037.tif 000009
【図８】
2012202037.tif 000010
【図９】
2012202037.tif 000011
【図１０】
2012202037.tif 000012
【図１１】
2012202037.tif 000013
【図１２】
2012202037.tif 000014
【図１３】
2012202037.tif 000015
【図１４】
2012202037.tif 000016
【図１５】
2012202037.tif 000017
【図１６】
2012202037.tif 000018